(57)【要約】      （修正有）【課題】個人識別情報を読み取るためだけでなく、他の付加情報を簡単に得る機能を備えるタイムカードを提供する。【解決手段】表面に日付、出退勤務時刻等の就業データを印字する印字欄を備え、両側縁に沿って複数のデータ穴３を形成し、これらのデータ穴３の組合せにより個人の氏名が判別されるようにしたタイムカードＡにおいて、最下部の両側には上記データ穴３の組合せ位置に基づいて個人を判別するための検出基準とする基準穴１を形成するとともに、上記基準穴１の直上部に機能穴２を形成し、該機能穴２の上に上記データ穴３を形成したことを特徴とする。【選択図】図１
2008191872.tif 000002
【特許請求の範囲】
【請求項１】
表面に日付、出退勤務時刻等の就業データを印字する印字欄を備え、両側縁に沿って複数のデータ穴を形成し、これらのデータ穴の組合せにより個人の氏名が判別されるようにしたタイムカードにおいて、
最下部の両側には上記データ穴の組合せ位置に基づいて個人を判別するための検出基準とする基準穴を形成するとともに、上記基準穴の直上部に機能穴を形成し、該機能穴の上に上記データ穴を形成した
ことを特徴とするタイムカード。
【請求項２】
上記機能穴を、上記タイムカードの両側のデータ穴の数が偶数か奇数かを読み取る基準としたことを特徴とする、請求項１に記載のタイムカード。
【請求項３】
上記機能穴を、上記タイムカードのデータ穴の穿孔機種を特定するトレーサビリティの基準としたことを特徴とする、請求項１に記載のタイムカード。
【請求項４】
上記機能穴を、上記タイムカードの表裏を判別する基準としたことを特徴とする、請求項１に記載のタイムカード。
【請求項５】
上記機能穴を、穿孔のメンテナンス時期の基準としたことを特徴とする、請求項１に記載のタイムカード。
【請求項６】
上記機能穴を、労働形態の種別の基準としたことを特徴とする、請求項１に記載のタイムカード。
【請求項７】
上記機能穴を、上記基準穴との距離を計測してタイムカードの伸縮量を判断する基準としたことを特徴とする、請求項１に記載のタイムカード。
【請求項８】
上記基準穴を、上記データ穴の位置を読み取るための基準とすることに代え、タイムカードの平行を判別するための基準とするとともに、上記機能穴を上記データ穴の位置を読み取るための基準とすることを特徴とする、請求項１に記載のタイムカード。
【発明の詳細な説明】
【技術分野】
【０００１】
本発明は、出退勤務時刻等の就業データを印字する印字欄を備え、両側縁に沿って形成された複数のデータ穴の組合せにより個人が識別されるようにしたタイムカードに関する。
【背景技術】
【０００２】
タイムカードは従業員個人の就業データを印字するためのものであるから、タイムカードは各人別個のものでなければならない。そのため、タイムカードには個人を識別するためのマークが設けられている。この個人識別マークとしては、バーコードやデータマークを印刷したものが知られている（特許文献１参照）。しかし、タイムレコーダに何度も出し入れしているうちに印刷が劣化したり滲んだりして読み取りが難しくなり、誤読が発生する可能性がある。
【０００３】
そこで、タイムカードの両側縁に沿ってそれぞれ複数のデータ穴を形成したものが知られている。これは、両側のデータ穴を一定の数とし、各側のデータ穴間の距離の組合わせにより個人を識別するように構成されている。例えば、両側にそれぞれ９個のデータ穴が形成できるようにしておき、片側を１個から９個までの間で、例えば最上部に１個だけ、最上部とその下に連続して２個、最上部に１個、１個分開けて連続して２個、最上部に０個、その下に連続して４個というように、いろいろなバリエーションでデータ穴を形成し、これを他側に同じ要領で設けたデータ穴とを組合わせることにより、２の９乗の２乗で合計約２６万通りの組合せを作ることができる。したがって、これによれば約２６万人に各人を識別できる別個のタイムカードを作ることができる。このタイムカードのデータ穴をタイムレコーダ側で読み取り、個人を判別してその就業時間などのデータを印字させればよい。
【特許文献１】実開平５−７５８６９公報
【発明の開示】
【発明が解決しようとする課題】
【０００４】
ところで、タイムカードに関する情報として、実は個人を識別するためのものだけでなく、さらにいろいろなものが必要である。例えば、片側で１６日分の印字欄がある場合は、表か裏かを判別する必要がある。また、タイムカードは温度変化等により伸縮する。日々行なわれる就業時間や集計等を印字するものであるから、印字欄には正確に印字される必要がある。伸縮に応じて印字欄に正しく印字するためには、基準のサイズよりも伸びているのか縮んでいるのか、伸び又は縮んでいるとしてどの程度かというデータが必要である。同様に、タイムカードの平行度の情報も必要となる。さらに、データ穴が古くなると、繰り返し使ううちにデータ穴が少しずつ潰されて小さくなり、正確な検出ができず、誤読する可能性が高くなるので、その前に現在の穿孔度がどの程度になっているかという情報も重要である。
【０００５】
本発明は上記問題点を解消し、個人識別情報を読み取るためだけでなく、他の付加情報を簡単に得る機能を備えることができるタイムカードを提供することをその課題とする。
【課題を解決するための手段】
【０００６】
上記課題を解決するため、請求項１に係る発明は、表面に日付、出退勤務時刻等の就業データを印字する印字欄を備え、両側縁に沿って複数のデータ穴を形成し、これらのデータ穴の組合せにより個人の氏名が判別されるようにしたタイムカードにおいて、最下部の両側には上記データ穴の組合せ位置に基づいて個人を判別するための検出基準とする基準穴を形成するとともに、上記基準穴の直上部に機能穴を形成し、該機能穴の上に上記データ穴を形成したことを特徴とする。
【０００７】
請求項２に係る発明は、請求項１において、上記機能穴を、上記タイムカードの表裏を判別する基準としたことを特徴とする。
【０００８】
請求項３に係る発明は、請求項１において、上記機能穴を、上記タイムカードのデータ穴の穿孔機種を特定するトレーサビリティの基準としたことを特徴とする。
【０００９】
請求項４に係る発明は、請求項１において、上記機能穴を、穿孔のメンテナンス時期の基準としたことを特徴とする。
【００１０】
請求項５に係る発明は、請求項１において、上記機能穴を、労働形態の種別の基準としたことを特徴とする。
【００１１】
請求項６に係る発明は、請求項１において、上記機能穴を、上記基準穴との距離を計測してタイムカードの伸縮量を判断する基準としたことを特徴とする。
【００１２】
請求項７に係る発明は、請求項１において、上記機能穴を、上記タイムカードの両側のデータ穴の数が偶数か奇数かを読み取る基準としたことを特徴とする。
【００１３】
請求項８に係る発明は、請求項１において、上記基準穴を、上記データ穴の位置を読み取るための基準とすることに代え、タイムカードの平行を判別するための基準とするとともに、上記機能穴を上記データ穴の位置を読み取るための基準とすることを特徴とする。
【発明の効果】
【００１４】
請求項１に係る発明によれば、タイムレコーダ側で機能穴を読み取ることにより、個人識別情報とは別の付加情報を簡単に得ることができる。しかも、機能穴はデータ穴と同じ大きさでよく、既存のタイムカード生産設備を利用することができ、タイムカードのコストが高くなることはない。
【００１５】
請求項２に係る発明によれば、機能穴を、上記タイムカードの表裏を判別する基準としたので、従来の表裏判別のための手段を省くことができる。
【００１６】
請求項３に係る発明によれば、機能穴を、上記タイムカードのデータ穴の穿孔機種を特定するトレーサビリティの基準としたので、後に印字処理に関するクレームがついたときなど、どの穿孔機に問題があるかを簡単に調べることができる。
【００１７】
請求項４に係る発明によれば、機能穴を、穿孔のメンテナンス時期の基準としたので、識別能力が劣化したときにメンテナンスの時期が近いことを知ることができる。
【００１８】
請求項５に係る発明によれば、機能穴を、労働形態の種別の基準としたので、そのタイムカードが例えば社員用かパート用か派遣社員用かを知ることができる。
【００１９】
請求項６に係る発明によれば、機能穴を、上記基準穴との距離を計測してタイムカードの伸縮量を判断する基準としたので、伸縮量に基づいてタイムカードの送りを調整して印字欄の内側に正しく印字することができる。
【００２０】
請求項７に係る発明によれば、機能穴を、上記タイムカードの両側のデータ穴の数が偶数か奇数かを読み取る基準としたので、タイムレコーダ側で最上部のデータ穴を読む必要があるかないかを認識することができる。
【００２１】
請求項８に係る発明によれば、基準穴を、上記データ穴の位置を読み取るための基準とすることに代え、タイムカードの平行を判別するための基準とするとともに、上記機能穴を上記データ穴の位置を読み取るための基準とするものであるから、タイムカードが平行かどうかを判別することができる。
【発明を実施するための最良の形態】
【００２２】
以下、図面を参照して本発明の一実施形態を説明する。
図１において符号Ａはタイムカードを示す。このタイムカードＡの表面には、カード上端部領域ａ１は各個人の氏名、所属等の個人識別情報が印字された印字欄である。ａ２は日付、日毎の出退勤時刻等が印字される就業印字欄である。
【００２３】
上記タイムカードＡの左右両側縁には、上下方向に沿って複数の穴が形成されている。これらの穴は左右にそれぞれ１０段に形成可能で、最大１０個形成できるようになっている。そのうち、最下段には左右に基準穴１が形成されている。次に、その直上部には機能穴２が形成されている。機能穴２は左右にそれぞれ１個形成されるか、右のみ又は左のみに形成されるものとし、両側に形成されない場合はないものとして設定されている。さらに、上記機能穴２の上にはデータ穴３が左右各８個形成可能になっている。なお、上記基準穴１、機能穴２、データ穴３はいずれも同じ大きさの円孔である。
【００２４】
上記穴の構成をまとめると次のようになる。
基準穴１  ：最下段に左右に各１個。
機能穴２  ：下から２段目に、左右いずれかに１個又は左右に各１個。
データ穴３：左右に各８個以内。
【００２５】
したがって、左右のデータ穴３の数８と機能穴との組合わせにより、２の１６乗の３倍で約２０万通りの組合せが可能となる。つまり、約２０万人を識別することができる。
【００２６】
また、基準穴１は下から３段目以降のどの段の右又は左にデータ穴３があるかどうかを見るための基準となる穴である。
【００２７】
機能穴２はタイムカードＡに必要なデータを得るための穴である。例えば、次のような情報を付与することができる。
（ａ）上記タイムカードＡの表裏を判別するための基準とする。
従来はタイムカードＡの表裏を判別するマークとして、タイムカードＡの下端の一側の角隅部を斜めにカットしていた。カットのための工程を減らすことによりコストを削減することができる。
（ｂ）上記タイムカードＡのデータ穴３の穿孔機種を特定するトレーサビリティのための基準とする。
これは、例えば、右側に１個のみの機能穴２は１号機、左側に１個のみの機能穴２は２号機、両側に機能穴２が開いているものは３号機で穿孔したという情報であれば、誤読のクレームがついたときにどの穿孔機で穿孔したのかということを知ることができる。
（ｃ）穿孔のメンテナンス時期の基準とする。
機能穴２を穿孔する穿孔機の金型だけは他と比べてもろいものにすることで、機能穴２は他のデータ穴３よりも先に読み取り難くなるので、穿孔のメンテナンスの時期が近い事を知ることができる。
（ｄ）労働形態の種別の基準とする。
社員かパートか派遣社員かの区別や、昼勤務、夜間勤務、昼夜勤務の区別などを知ることができる。
（ｅ）上記基準穴１との距離を計測してタイムカードＡの伸縮量を判断するための基準とする。
上記距離が基準よりも長くなったか短くなったかにより、タイムカードＡの伸縮の度合いを調べ、これを調整することにより印字欄の内側に正しく印字するように調節することができる。
（ｆ）上記タイムカードＡの両側のデータ穴３の数が偶数か奇数かを読み取るための基準とする。
これによれば、タイムレコーダ側で最上部のデータ穴３を読む必要があるかないかを認識することができる。
（ｇ）データ穴３の位置を読み取るための基準とすることに代え、タイムカードＡの平行を判別するための基準とするとともに、上記機能穴２を上記データ穴３の位置を読み取るための基準とする。
これによれば、タイムレコーダがタイムカードＡが正しく挿入されたかを判別して正しい位置に印字するようにすることができる。
【００２８】
以上のように、タイムカードＡには基準穴１の位置によって、つまり基準穴１が右にあるか、左にあるか、それとも両側にあるかによって３種類までの情報を付与することができる。
【００２９】
上述のタイムカードＡによれば、単に基準穴１の上の穴を機能穴２として利用することにより、タイムレコーダのプログラムを変更するのみでタイムカードＡに関係する情報を新たに得ることができたり、コストを削減したりすることができる。
【００３０】
なお、機能穴２の分だけデータ穴３の数が減るので、個人の識別能力も減ることになるが、従来左右９個のデータ穴が形成可能としていたタイムカードＡの場合には、２の１８乗で約２６万通りの識別能力が、約２０万通りの識別能力に変更されるだけであり、実際上の問題はほとんどない。したがって、穿孔用金型の数を増やすことなく上記効果を得ることができる。
【００３１】
なお、上述の例は、機能穴を円形の穴としたが、機能穴を長穴とし、この長穴で紙の伸縮等を検出する構成としてもよい。また、機能穴等の穴の代りに黒丸やバーコードなどのマークを付し、これらのマークを反射型センサにより読み取って上記と同様の判別を行わせる構成としてもよい。
【００３２】
次に、上記タイムカードＡの使用の一例を、上記基準穴１が右側にのみあるときは表、左側にのみあるときは裏である場合の例をタイムレコーダと共に説明する。
【００３３】
図２はタイムレコーダの構成を簡略に示すブロック図で、同図において、タイムレコーダに設けられた制御部４には個人の識別情報、例えば氏名、社員番号、所属、勤務区分番号等の情報をＲＡＭメモリで記憶する個人識別データメモリ６、個人コードに対応して各個人毎の出退社時間等の就業データをＲＡＭメモリで記憶する就業データメモリ７、水晶発振器から出力されるクロック信号に基づいて現時刻データを形成して制御部４へ出力する時計回路８、タイムレコーダの各種操作状況、結果等を操作者に表示する表示部９が接続されている。
【００３４】
１０はタイムカードＡ上に就業データ等を印字するプリンタで、プリンタ１０はプリンタ制御回路１１を介して制御部４に接続している。１２はタイムカードＡをタイムレコーダのカード挿入口より印字位置へ搬入するとともに該印字位置から、所定の印字終了後排出するカード送り機構、１３は制御部４に接続されるとともにタイムカードＡの搬入、排出を行うようにカード送り機構１２の正転、逆転動作を制御するカード送り制御回路である。
【００３５】
１４、１５は基準穴１、機能穴２、データ穴３を検出するための透過型の一対のセンサで、後述のように、それぞれ挿入されるタイムカードＡの両側縁に対応するように配置されている。１６はこれらセンサ１４、１５からの検出信号を読取って、各種の処理信号を送出する読取信号処理手段であり、カード挿入時のカード挿入検出信号、挿入状態判別用の信号、基準カウンタ１７による所定のタイミングで対応するセンサ１４、１５からの検出信号を処理して生成したデータを、それぞれ制御部４、挿入状態判別手段１９に送出する。基準カウンタ１７は後述するロータリーエンコーダ２７からのパルスを受けて基準タイミングパルスを送出し、基準穴１、機能穴２、データ穴３の読み取りの基準タイミングを決定する。識別コードメモリ１８はタイムカードＡから読み取って前記生成された識別コードデータを記憶するもので、該識別コードに基づいて各種就業データの処理が行なわれる。挿入状態判定手段１９は読取信号処理手段１６に接続され、該処理手段１６からの機能穴２の検出信号を受けて、基準穴１が右にあるか左にあるかによってタイムカードＡの挿入状態（表か裏か）を判定し、制御部４を介して判定結果を表示部９において表示させるものである。上記判定手段１９から送出される判定信号に基づき制御部４を介してカード送り制御回路１３へ制御信号が送出され、カード送り機構１２によりタイムカードＡの搬入又は排出が行われる。
【００３６】
図３において、符号２０はタイムレコーダ本体で、該本体２０には、タイムカードＡを挿入案内するカードガイド２１が設けられ、カードＡはカード挿入口より矢印で示すように挿入される。カードガイド２１には前記センサ１４、１５が配置されている。
【００３７】
タイムレコーダ本体２０には、カード送り機構１２が設置され、該機構１２は、上下一対の送り軸２３、その上に取着された送りローラ２４、これら一対の送り軸２３を連動回転させるように互いにプーリ及びタイミングベルトに連結した駆動伝達機構２５及び該機構２５に駆動力を付与する可逆モータ（図示せず）より構成されている。上記送りローラ２４の背面側には従動ローラ（図示せず）が設けられている。また、送り軸２３の一端部には、ロータリーエンコーダ２７が設けられている。該エンコーダ２７はタイムカードＡの移送距離に相当するパルスを生成するとともに基準カウンタ１７へ該パルスを送出する。基準カウンタ１７はこのパルスが入力されると、所定パルスのカウント毎に基準タイミングパルスを送出する。
【００３８】
カードＡが挿入されると、カード送り機構１２により挿入方向（正方向）に印字位置に向って送られ、センサ１４、１５により基準穴１が検出したところからカウントが開始される。そして、カウントによるタイミングで機能穴２が検出され、続いてデータ穴３が検出されるようになっている。
【００３９】
次に、上記機能穴２に表裏を判別させる機能を持たせたタイムカードＡを使用して日々の就業時間等の通常処理の印字を行なうモードについて図４を参照して説明する。
【００４０】
まず、使用者が出勤、退勤の記録を行なうためにタイムレコーダにタイムカードＡを挿入すると、ステップ１１１でカード挿入の有無がセンサ１４、１５により確認され、確認されればカード送り機構１２によりステップ１１２によりカード引き込みが行なわれる。センサが基準穴１を検出した後、ステップ１１３で機能穴２を読み取ることにより、ステップ１１４で表か裏かが判別され、ステップ１１５で表と裏を誤って挿入したときはタイムカードＡが排出され、さらにステップ１１６でエラー表示が行われる。
【００４１】
これに対し、タイムカードＡが正しく挿入されたときは、ステップ１１７に進み、センサがデータ穴３を読み取り、個人を識別し、ステップ１１８で通常の出退に関する就業時間等のデータを印字処理して排出する。
【００４２】
なお、基準穴１に他の情報を付与した場合も同様の処理となる。また、基準穴１に複数の情報を付与することができる。例えば、上述の裏表の情報を示す機能穴２のみをもろい金型で穿孔することにより、裏表情報とメンテナンス情報を得ることができる。
【図面の簡単な説明】
【００４３】
【図１】本発明のタイムカードの正面図
【図２】タイムレコーダの構成を簡略に示すブロック図
【図３】カード送り機構によるカード送りを説明するためのタイムレコーダの概略正面図
【図４】タイムカードを使用する際の出退モードの処理手順を示すフローチャート
【符号の説明】
【００４４】
Ａ  タイムカード
１  基準穴
２  機能穴
３  データ穴
【図１】
2008191872.tif 000003
【図２】
2008191872.tif 000004
【図３】
2008191872.tif 000005
【図４】
2008191872.tif 000006